(57)【要約】【課題】  異常発生箇所以下に接続された装置の運用を自発的且つ確実に停止することができ、システムの安全性を向上させることができる無線伝送システムを提供する。【解決手段】  複数の子機が接続された無線通信システムにおいて、子機４が、自装置の異常を検出する装置状態監視部４７と、上位の回線の品質を監視する回線品質監視部４６とを備え、装置状態検出部４７において異常が検出された場合、又は回線品質監視部４６で上位の回線品質の異常が検出された場合には、制御部４８が、マスタポート４２に下位装置への信号の出力を停止する指示を出力すると共に、無線部４４の動作を停止する無線通信システムとしている。【選択図】        図２
2009188766.tif 000002
【特許請求の範囲】
【請求項１】
基地局からの信号が中継機を介して伝送され、当該伝送された信号を増幅してアンテナから出力すると共に、下位に接続された通信回線に出力する子機を備えた無線通信システムであって、
前記子機が、無線信号の送受信を行う無線部と、
自装置の状態を監視し、前記自装置の状態が正常か異常かを検出する装置状態監視部と、
上位に接続する通信回線の回線品質を監視し、前記回線品質が正常か異常かを検出する回線品質監視部と、
前記装置状態監視部又は前記回線品質監視部で異常が検出されると、前記無線部の動作を停止すると共に、前記下位に接続された通信回線への信号の送出を停止する制御を行う制御部とを備えたことを特徴とする無線通信システム。
【発明の詳細な説明】
【技術分野】
【０００１】
本発明は、無線通信システムに係り、特に子機やＨＵＢを多段に接続したシステムにおいて、装置や回線に異常が発生した場合に、当該異常発生箇所の下位に接続された装置の運用を停止して、システムの安全性を向上させることができる無線通信システムに関する。
【背景技術】
【０００２】
［先行技術の説明］
デジタル移動体通信では、高出力の送信増幅器が用いられる。従来は、送信増幅器は基地局と同一の架に設置されることが多かったが、近年、無線部と送信増幅器の機能を備えた送受信増幅器を基地局と切り離して、両者を光ファイバで接続する構成も用いられている。このような構成をＲＯＦ（Radio On Fiber）、ＲＲＨ（Remote Radio Head）と称する。
ＲＯＦ、ＲＲＨを用いることにより、通信品質を向上し、運用コストを低減し、保守を容易にするといった効果がある。
【０００３】
［基地局と送受信増幅器の構成例：図７］
ＲＯＦ、ＲＲＨにおける基地局と送受信増幅器の構成例について図７を用いて説明する。図７は、基地局と送受信増幅器の構成例を示す模式説明図であり、（ａ）はスター型（Star topology）、（ｂ）はチェーン型（Chain topology）の例である。
図７（ａ）に示すように、スター型では、基地局５５に、送受信増幅器（図では「TRX-AMP」）５７ａ、５７ｂが光ファイバ５６を介して接続している。
【０００４】
基地局５５は、光インタフェース（Ｉ／Ｆ）を実装しており、基地局５５から送受信増幅器５７への信号を電気信号から光信号に変換して光ファイバ５６を介して送信すると共に、送受信増幅器５７から受信した光信号を電気信号に変換する。
光ファイバ５６は、光信号を伝送するものであり、CPRI、OBSAI等の規格がある。
【０００５】
送受信増幅器５７は、光信号と電気信号の相互変換を行う光−電気変換部を備え（図示せず）、光ファイバ５６を介して基地局５５から送信された送信データを受信して増幅し、アンテナから出力すると共に、アンテナで受信した受信データを増幅して光ファイバ５６を介して基地局５５に送信する。
【０００６】
スター型では、子局である送受信増幅器５７が、それぞれ基地局５５の光インタフェースに接続する構成となっている。
【０００７】
また、図７（ｂ）に示すように、チェーン型では、基地局５５に、光ファイバ５６を介して送受信増幅器５７ａが接続され、更に、送受信増幅器５７ａに光ファイバを介して送受信増幅器５７ｂが接続されている。
つまり、送受信増幅器５７ｂは、送受信増幅器５７ａを経由して基地局５５と接続されている。
【０００８】
チェーン型で用いられる送受信増幅器５７ａは、スレーブポート（slave port）とマスタポート（master port）の２つのポートを備えており、スレーブポートで上位の基地局５５との送受信を行い、スレーブポートで下位の送受信増幅器５７ｂとの送受信を行う。
スレーブポートは、つながり先のクロックで動作するための入出力ポートであり、マスタポートは、つながり先を出力クロックで動作させるための入出力ポートである。
【０００９】
［光伝送システムの概要：図８］
また、光伝送システムは、基地局と中継機と子機を光ファイバもしくは同軸ケーブルによって接続したものであり、基地局が出力する信号をそのまま遠方の不感地帯へ伝送し、移動体通信のサービスエリアの拡大を図る無線通信システムである。基地局と中継機との間は、光ファイバを用いるのが一般的である。
【００１０】
ここで、光伝送システムの概要について図８を用いて説明する。図８は、光伝送システムの概要を示す模式説明図である。
図８に示すように、光伝送システムは、基地局（図では「ＢＴＳ」）６１と、光インタフェース（図では「ＢＴＳ−ＩＦ」）６２と、光ファイバ６３と、中継機６４と、複数の子機６５とから構成されている。
【００１１】
基地局６１は、移動体無線システムの基地局であり、高周波信号の送受信を行う。
光インタフェース６２は、基地局６１からの高周波信号を同軸接続で受信して、光信号に変換して光ファイバ６３を介して中継機６４に送信する。また、光インタフェース６２は、光ファイバ６３を介して受信した中継機６４からの光信号を電気信号に変換して同軸ケーブルで基地局６１に送信する。
【００１２】
中継機６４は、基地局６１から遠く離れた場所に設置され、光ファイバ６３から受信した光信号を電気信号に変換し、子機６５-1、６５-2、…６５-nに分配出力する。また、中継機６４は、子機６５-1、６５-2、…６５-nから受信した電気信号を多重化し、光信号に変換して光ファイバ６３経由で光インタフェース６２に送信する。
この例では、中継機６４と子機６５との間は同軸ケーブルで接続されているが、中継機６４と子機６５との間の距離が長い場合等は光ファイバを用いる。
【００１３】
子機６５は、中継機６４から受信した高周波信号を増幅し、アンテナを介して無線信号として出力すると共に、移動端末から送信された無線信号を受信して増幅し、中継機に向けて出力する。
このように、光伝送システムは、ビル内等の無線信号が到達しない不感地帯でも移動体通信を可能とし、移動体無線システムのサービスエリアの拡大を図ることができるものである。
【００１４】
また、基地局に接続する中継機（親機）に、子機またはハブ（ＨＵＢ）を多段に複数接続したチェーン型の構成を備えた無線通信システムもある。このような構成は、システム構成の自由度を増大させることができ、設置場所に応じた構成とすることができるものである。
【００１５】
［チェーン型のシステムの例：図９］
このような無線通信システムの例について図９を用いて説明する。図９は、従来のチェーン型接続可能な子機及びＨＵＢを備えた無線通信システムの構成例を示す模式説明図である。
図９に示すように、チェーン型接続可能な子機及びＨＵＢを備えた無線通信システムは、基地局（ＢＴＳ）１と、中継機２と、子機４ａ〜４ｄと、ＨＵＢ５とを備え、中継機２と子機４、子機４同士、子機４とＨＵＢ５とは光ファイバ３によって接続されている。
【００１６】
中継機２は、光ファイバ３が接続する複数のポート（マスタポート）を備えており、複数の子機４やＨＵＢ５が接続可能となっている。図９の例では、子機４ａ及び４ｂが中継機２のマスタポートに接続されている。
また、子機４及びＨＵＢ５にはスレーブポートとマスタポートが設けられている。ＨＵＢ５には複数のマスタポートが設けられており、複数の下位装置が接続可能となっている。
図９の例では、ＨＵＢ５のマスタポートの１つに子機４ｃが接続され、更に子機４ｃのマスタポートに子機４ｄが接続されている。
【００１７】
［異常発生時の動作：図９］
子機４やＨＵＢ５において異常が発生した場合、火災の発生や違法電波の放出を防ぐために、異常が発生した装置の運用を停止する必要がある。
従来は、中継機２が、異常発生装置及びその下位装置に対して運用停止命令を発行してそれらの装置の運用を停止するようにしていた。
例えば、図９において、子機４ａに異常が発生した場合、中継機２は、子機４ａと、ＨＵＢ５、子機４ｃ及び４ｄに運用停止命令を発行する。
【００１８】
［先行技術文献］
尚、無線通信システムに関する先行技術としては、特開２００３−１６３６３４号公報（特許文献１）がある。
特許文献１には、高周波信号を局部信号ＬＯを用いて周波数変換器でダウンコンバージョンし、第１のレーザダイオードで第１波長の光信号に変換し、更にＬＯを第２のレーザダイオードで第２波長の光信号に変換し、第１波長の光信号と第２波長の光信号とをカプラで合成して光ファイバ伝送路に送信する光送信装置が記載されている。
【００１９】
【特許文献１】特開２００３−１６３６３４号公報
【発明の開示】
【発明が解決しようとする課題】
【００２０】
しかしながら、従来の無線通信システムでは、システム構成の自由度が高くなると、構成のバリエーションが増え、中継機において、何の装置が何台どのように接続されているかを把握するデータベースの管理が煩雑になる。そのため、異常が発生した場合に、異常発生装置の配下に接続された全ての下位装置に運用停止命令を発行する仕組みを構成するのが困難になるという問題点があった。
【００２１】
また、装置間を接続する光ファイバ等の接続回線に異常が発生した場合、当該異常箇所以下の装置には運用停止命令を送達することができず、異常発生箇所以下の装置の動作を停止させることができないという問題点があった。
【００２２】
また、光伝送システムにおいて、中継機及び各子機に、装置内の固定遅延時間であるパラメータを記憶しておき、システム起動時に、中継機及び各子機がそれぞれマスタポートに接続する光回線の遅延量を測定し、各子機が測定した光回線遅延量とパラメータを中継機に送信し、中継機が自己及び子機のパラメータと光回線遅延量とをメンテナンスツールに送信し、メンテナンスツールが、これらの情報に基づいて各光ファイバの伝送遅延時間と、各子機の無線出力端までの遅延時間を算出して表示するようにして、システムの運用開始前に伝送遅延量を算出して表示して、不具合をサービス開始前に改善でき、低コスト及び短時間で信頼性の高いシステムを実現する光伝送システムが提案されている（特願２００７−２４５５３３）。
【００２３】
本発明は上記実状に鑑みて為されたもので、装置又は装置間の接続回線に異常が発生した場合、異常発生箇所以下に接続された装置の運用を確実に停止することができ、システムの安全性を向上させることができる無線伝送システムを提供することを目的とする。
【課題を解決するための手段】
【００２４】
上記従来例の問題点を解決するための本発明は、基地局からの信号が中継機を介して伝送され、当該伝送された信号を増幅してアンテナから出力すると共に、下位に接続された通信回線に出力する子機を備えた無線通信システムであって、子機が、無線信号の送受信を行う無線部と、自装置の状態を監視し、自装置の状態が正常か異常かを検出する装置状態監視部と、上位に接続する通信回線の回線品質を監視し、回線品質が正常か異常かを検出する回線品質監視部と、装置状態監視部又は回線品質監視部で異常が検出されると、無線部の動作を停止すると共に、下位に接続された通信回線への信号の送出を停止する制御を行う制御部とを備えたことを特徴としている。
【発明の効果】
【００２５】
本発明によれば、子機が、無線信号の送受信を行う無線部と、自装置の状態を監視し、自装置の状態が正常か異常かを検出する装置状態監視部と、上位に接続する通信回線の回線品質を監視し、回線品質が正常か異常かを検出する回線品質監視部と、装置状態監視部又は回線品質監視部で異常が検出されると、無線部の動作を停止すると共に、下位に接続された通信回線への信号の送出を停止する制御を行う制御部とを備えた無線通信システムとしているので、子機が、自装置に異常が発生した場合又は上位回線に異常が発生した場合には、正常ではないおそれのある無線信号の送出を防ぎ、更に下位に接続された装置も順次同様に無線部の動作及び下位装置への伝送を停止することができ、異常発生時には、中継機から運用停止指示を送出しなくても、異常発生箇所以下に接続された全ての子機が自発的に運用を停止して、システム全体の安全性を向上させることができる効果がある。
【発明を実施するための最良の形態】
【００２６】
［発明の概要］
本発明の実施の形態について図面を参照しながら説明する。
本発明の実施の形態に係る無線通信システムは、子機及びＨＵＢが、それぞれ、自装置の異常を検出する装置状態監視部と、上位の回線の状態を監視する回線状態監視部とを備え、装置状態検出部において異常が検出された場合、又は回線状態監視部で上位の回線の異常が検出された場合には、自装置に接続された下位装置に対する光ファイバ伝送を停止するものであり、更に子機は、上述した異常が検出された場合には、無線部の動作を停止するものとしているので、装置又は回線に異常があった場合には、異常発生箇所以下の全ての子機及びＨＵＢの運用を停止して、子機からの意図しない無線信号の出力を防ぐことができ、システムの安全性を向上させることができるものである。
【００２７】
［実施の形態の無線通信システムの構成：図１］
図１は、本発明の実施の形態に係る無線通信システム（本システム）の一例を示す概略構成図である。尚、ここでは、無線通信システムとして光通信システムを例として説明する。
図１に示すように、本システムの構成は、例えば、基地局（図では「BTS」と記載）１と、中継機２と、子機４ａ〜４ｆと、ＨＵＢ５とを備え、中継機２と子機４、子機４同士、子機４とＨＵＢ５とは光ファイバ３によって接続されている。
【００２８】
中継機２は、基地局１と子機４との通信を中継するものであり、基地局１と同軸接続され、基地局１から受信した無線信号を光信号に変換して光ファイバ３に出力すると共に、光ファイバ３から受信した光信号を無線信号に変換して基地局１に出力する。
中継機２は、光ファイバ３が接続する複数のポート（マスタポート）２２を備えており、複数の子機４やＨＵＢ５が接続可能となっている。図１の例では、子機４ａ及び４ｂが中継機２のマスタポート２２に接続されている。
【００２９】
子機４は、上位装置及び下位装置とは光通信を行い、移動局（図示せず）とは無線通信を行う送受信増幅器（ＴＲＸ−ＡＭＰ）である。
すなわち、子機４は、上位装置（中継機２，ＨＵＢ５，子機４のいずれか）から受信した光信号を無線信号に変換し、増幅して無線出力すると共に、移動局から受信した無線信号を増幅して光信号に変換し、上位装置に送信する。それと共に、子機４は、上位装置から受信した光信号を下位の子機４又はＨＵＢ５に出力する。
【００３０】
そして、各子機４は、光信号送受信部として、上位装置に接続するスレーブポート４１と、下位装置に接続するマスタポート４２の２種類のポートを備え、チェーン型のシステムを構築可能とするものである。
【００３１】
また、ＨＵＢ５は、上位装置の中継機２又は子機４から受信した信号を分配して、下位装置の子機４又はＨＵＢ５に送信すると共に、下位装置の子機４又はＨＵＢ５から受信した信号を多重化して、上位装置に送信する。
ＨＵＢ５は、上位装置に接続する１つのスレーブポート５１と、複数の下位装置に接続する複数のマスタポート５２とを備えている。
このように、チェーン型での接続が可能な子機４及びＨＵＢ５を用いることによって、システム設計の自由度が広がるものである。
【００３２】
そして、本システムの特徴として、子機４と、ＨＵＢ５が、自装置に異常が発生したことを検出した場合、又は上位回線に異常が発生したことを検出した場合に、下位装置への送信を停止する機能を備えている。また、本システムでは、中継機２も自装置に異常が発生したことを検出した場合、下位装置への送信を停止する機能を備えている。
それぞれの装置の構成及び動作については後で詳細に説明する。
【００３３】
［子機４の構成：図２］
子機４の構成について図２を用いて具体的に説明する。図２は、子機４の構成を示す構成ブロック図である。
図２に示すように、子機４は、スレーブポート４１と、マスタポート４２と、信号処理部４３と、無線部４４と、アンテナ４５と、回線品質監視部４６と、装置状態監視部４７と、制御部４８とを備えている。
【００３４】
スレーブポート４１は、光信号の送受信を行う光信号送受信部と、光信号と電気信号の相互変換を行う光−電気変換部とを備えており（図示省略）、上位装置からの光信号を受信して無線信号に変換し、信号処理部４３と、回線品質監視部４６に出力する。また、上位装置に送るための電気信号を光信号に変換して上位の光ファイバ３に出力する。スレーブポート４１は、上位装置のクロックに合わせて動作を行う。
【００３５】
マスタポート４２は、光信号の送受信を行う光信号送受信部と、光信号と電気信号の相互変換を行う光−電気変換部とを備えており（図示省略）、下位装置からの光信号を受信して無線信号に変換し、また、下位装置に送るための電気信号を光信号に変換して下位の光ファイバ３に出力する。マスタポート４２は、接続された下位装置を自己のクロックに合わせて動作させる。
【００３６】
また、本システムの特徴として、子機４のマスタポート４２は、制御部４８から光信号の送信停止の指示が入力されると、光−電気変換部における電気−光変換動作を停止して、下位の光ファイバ３への光信号の出力を停止するようになっている。
【００３７】
信号処理部４３は、スレーブポート４１から入力された上位装置からの無線信号のデジタル信号処理を行ってベースバンド信号として無線部４４に出力すると共に、無線部４４から入力された下位装置からのベースバンド信号のデジタル信号処理を行ってスレーブポート４１に出力する。
【００３８】
無線部４４は、ベースバンド信号を無線周波数に変換してアンテナ４５から空中に放出すると共に、無線周波数信号を受信してベースバンド信号に変換し、信号処理部４２に出力する。
本システムの特徴として、無線部４４は、制御部４８からの動作停止指示が入力されると、送受信動作を停止する。
アンテナ４５は、無線周波数信号の送受信を行う。
【００３９】
尚、子機４が、上位装置からの信号を中継して下位装置に送信したり、下位装置からの信号を中継して上位装置に送信する際には、信号処理等の子機４内部での処理は行わず、スレーブポート４１とマスタポート４２とが直接信号のやりとりを行う。
【００４０】
回線品質監視部４６は、本システムの特徴部分であり、スレーブポート４１から入力された上位装置からの受信信号を入力して、当該受信信号に基づいて回線品質を監視し、上位回線の回線品質が正常か異常かを示す信号を制御部４８に出力する。
回線品質の監視は、一般的な方法で実現されるが、例えば受信信号強度を検出し、検出された受信信号強度が予め設定された基準値以上の場合には正常と判定し、基準値未満の場合には異常と判定する、といった方法が考えられる。
あるいは、受信信号中の誤り訂正符号に基づいて誤り率を検出し、誤り率が基準値よりも高ければ（誤りが多ければ）回線品質が異常であると判定するようにしてもよい。
【００４１】
また、装置状態監視部４７は、複数の項目について子機内部の装置状態を監視しており、全て正常か、又はいずれかの項目で異常があるかを示す信号を制御部４８に出力する。装置状態の監視項目としては、例えば、温度や電源供給状態等があり、いずれかの検出結果が予め設定された各項目の基準範囲外となった場合に、装置状態異常監視部４６は装置状態が異常であると判定する。
尚、装置状態監視部４７は、各項目毎に正常又は異常を示す信号を出力するようにしてもよい。
【００４２】
制御部４８は、ＣＰＵ（Central Processing Unit）等で構成され、記憶部（図示せず）に記憶されているプログラムを起動して、各種の処理を行う。
本システムの特徴として、子機４の制御部４８は、回線品質監視部４６から回線品質の異常を示す信号が入力された場合、又は、装置状態監視部４７から装置状態の異常を示す信号が入力された場合に、無線部４４に動作を停止する指示を出力すると共に、マスタポート４２の光−電気変換部に光ファイバ３への伝送動作を停止する指示を出力する。
【００４３】
すなわち、本システムの子機４は、自装置の異常を検出する装置状態監視部と、上位の装置からの回線状態を監視して線状態が正常か異常かを検出する回線品質監視部を備えており、装置状態監視部又は回線品質監視部において異常を検出すると、制御部が、無線部の動作を停止すると共に、マスタポートに対して下位装置への送信を停止するよう指示を出力し、光信号の送信を停止するものである。
これにより、子機４同士がチェーン型に接続されている構成において、上位の子機４又は回線に異常が発生した場合、下位に接続された子機４は、順次自発的に運用を停止することができるものである。
【００４４】
［故障時の子機４の動作：図２］
子機４の自装置で不具合が発生した場合には、装置状態監視部４７が異常を検出して自装置の異常を示す信号を出力し、制御部４８は、装置状態監視部４７からの異常を示す信号に基づいて、無線部４４における無線信号の送受信動作と、マスタポート４２からの光信号の送出とを停止する。
これにより、子機４の自装置で故障が起こった場合に、正常ではないおそれのある無線周波数信号の送出を無くすことができるものである。
【００４５】
また、上位装置や上位回線に故障が発生した場合には、スレーブポート４１における上位装置からの信号を受信しなくなるので、子機４の回線品質監視部４６が、回線品質が異常であることを示す信号を出力し、制御部４８は、当該異常を示す信号に基づいて、無線部４４における無線信号の送受信動作と、マスタポート４２からの光信号の送出とを停止する。
【００４６】
尚、無線部４４の動作を停止することによって、移動機からの無線信号の受信も行われなくなるので、結果としてスレーブポート４１から上位装置への光信号の送出も停止し、子機４は運用停止状態となる。
このようにして本システムの子機４の故障時の動作が行われる。
【００４７】
これにより、本システムでは、故障発生時に中継機から運用停止指示を送出しなくても、故障発生箇所以下に接続された全ての子機４が自発的に無線送受信動作及び下位装置への光信号の送信動作を停止して自発的に運用を停止することができ、不要な無線信号の放出等を防いでシステムの安全性を向上させることができるものである。
【００４８】
［ＨＵＢ５の構成：図３］
本システムのＨＵＢ５の構成について図３を用いて説明する。図３は、ＨＵＢ５の構成ブロック図である。
図３に示すように、ＨＵＢ５は、スレーブポート５１と、マスタポート５２と、回線品質監視部５３と、装置状態監視部５４と、制御部５５とを備えている。
各構成部分は、子機４において説明したものと同様の構成及び動作であるため、ここでは説明を省略するが、回線品質監視部５３と、装置状態監視部５４と、制御部５５とが本システムの特徴部分となっている。
【００４９】
ＨＵＢ５の制御部５５は、回線品質監視部５３から上位回線の回線品質の異常を示す信号が入力された場合、又は、装置状態監視部５４から装置状態の異常を示す信号が入力された場合に、マスタポート５２に対して、下位の光ファイバ３への伝送動作を停止する指示を出力する。
【００５０】
尚、ここでは図を簡単にするためにマスタポート５２を１つしか示していないが、ＨＵＢ５には通常複数のマスタポート５２が設けられている。複数のマスタポート５２が設けられている場合、制御部５５は、全てのマスタポート５２に伝送動作を停止する指示を出力する。
【００５１】
［中継機２の構成：図４］
本システムの中継機２の構成について図４を用いて説明する。図４は、中継機２の構成ブロック図である。
中継機２は、マスタポート２２と、装置状態監視部２３と、信号処理部２４と、制御部２５と、通信部２６とから構成されている。
【００５２】
マスタポート２２は、子機４及びＨＵＢ５に設けられたマスタポート４１，５１と同様であり、光ファイバで接続された下位装置に対して光信号の送受信を行う。そして、制御部２５からの光信号伝送停止の指示があると、光信号の伝送動作を停止する。
【００５３】
装置状態監視部２３は、子機４及びＨＵＢ５に設けられた装置状態監視部４７及び装置状態監視部５４と同様であり、中継機２の装置状態を監視し、正常又は異常を示す信号を制御部２５に出力する。
【００５４】
信号処理部２３は、マスタポート２２から入力された下位装置からのベースバンド信号のデジタル信号処理を行って無線部２６に出力すると共に、無線部２６から入力された上位装置からの無線信号のデジタル信号処理を行ってベースバンド信号としてマスタポート２２の電気光変換部に送出する。
【００５５】
通信部２６は、信号処理部２３からのベースバンド信号を無線周波数に変換して基地局に出力すると共に、基地局からの無線周波数信号を受信してベースバンド信号に変換し、信号処理部２２に出力する。
【００５６】
制御部２５は、子機４及びＨＵＢ５に設けられた制御部４８，５５と同様に、異常検出時に下位装置への出力停止を指示するものであり、装置状態監視部２３から基地局自身の装置状態の異常を示す信号が入力された場合に、マスタポート２２の光−電気変換部に光ファイバ３への伝送動作を停止する指示を出力すると共に、通信部２６に動作を停止する指示を出力する。
これにより、中継機２は、自装置に故障が発生した場合に、下位に接続された装置に対する光信号の送信を停止でき、基地局への無線信号の出力を停止するものである。
【００５７】
［本システムの動作例：図５］
本システムの動作例について図２，図３，図５を用いて説明する。図５は、本システムの第１の動作例を示す模式説明図である。
図５に示すように、例えば、子機４ａにおいて異常が発生した場合、図２に示した子機４ａの装置状態監視部４７が装置の異常を制御部４８に出力し、制御部４８が、無線部４４の動作停止指示と、マスタポート４２での光信号の送信停止指示とを出力する。
これにより、子機４ａのアンテナからの電波放射と、マスタポート４２からの光信号の出力が停止される。つまり、子機４ａの下位に接続されているＨＵＢ５のスレーブポート５１では光信号が受信されなくなる。
【００５８】
すると、ＨＵＢ５の回線品質監視部５３は、スレーブポート５１で受信する光信号の品質に異常があると判定して、回線品質の異常を示す信号を制御部５５に出力する。制御部５５は、マスタポート５２での光信号の送信停止指示を出力する。
これにより、ＨＵＢ５から下位の装置には光信号が送信されない。
【００５９】
以下、同様にして、ＨＵＢ５の下位に接続された子機４ｃ、４ｅ、４ｄ、４ｆは、上位の回線品質が異常であることを検出するので、無線部４４の動作を停止すると共にマスタポート４２からの光信号の送信を停止する。
このようにして、異常が発生した装置の下位に接続された全ての装置から不要な無線信号が出力されるのを防ぐことができ、下位装置の運用を停止して、システム全体の安全性を向上させることができるものである。
【００６０】
次に、本システムの第２の動作例について図６を用いて説明する。図６は、本システムの第２の動作例を示す模式説明図である。
図６に示すように、子機４ａとＨＵＢ５とを接続する光ケーブル３に異常が発生した場合、上述した第１の例と同様に、ＨＵＢ５の回線品質監視部５３が回線品質の異常を検出して、制御部５５が下位装置への光信号の送信停止を指示するので、ＨＵＢ５から下位の装置へは光信号が送信されず、子機４ｃ〜４ｆも同様に回線品質の異常を検出して無線部４４の動作を停止し、更にマスタポート４２から下位装置への光信号送信を停止する。
これにより、第１の例と同様に、異常発生箇所以降に接続された下位装置からの不要な無線信号の送出を防ぐことができ、下位装置の運用を停止できるものである。
【００６１】
また、図示は省略するが、本システムでは、中継機２において装置状態の異常が発生した場合にも、同様にして全ての下位装置への光信号の送信が停止し、また、基地局１への無線信号送出も停止する。これにより、不具合が発生した中継機以下の装置を運用停止することができ、基地局に対しても信頼性の低い信号の送出を防ぐことができ、システム全体の安全性を向上させることができるものである。
【００６２】
［実施の形態の効果］
本発明の実施の形態に係る無線通信システムによれば、子機４が、自装置の異常を検出する装置状態監視部４７と、上位の回線の回線品質を監視する回線品質監視部４６とを備え、装置状態検出部４７において異常が検出された場合、又は回線品質監視部４６で上位の回線品質の異常が検出された場合には、制御部４８が、マスタポート４２に光信号の出力を停止する指示を出力すると共に、無線部４４の動作を停止するものであり、ＨＵＢ５が、装置状態監視部５４と、上位の回線の状態を監視する回線状態監視部５３とを備え、装置状態検出部５４又は回線品質監視部５３で異常が検出された場合には、制御部５５が、マスタポート５２に光信号の出力を停止する指示を出力する無線通信システムとしているので、装置又は回線に異常があった場合には、中継機からの運用停止指示を送出しなくても、異常発生箇所以下の全ての子機４及びＨＵＢ５が自発的に運用を停止することができ、意図しない無線信号の出力を防いで、システムの安全性を向上させることができる効果がある。
【００６３】
また、本システムによれば、中継機２に装置状態監視部２３を備え、装置状態検出部２３で異常が検出された場合には、制御部２５が、無線部２６の動作を停止し、マスタポート２２に光信号の出力を停止する指示を出力する無線通信システムとしているので、中継機２に故障が発生した場合に、下位装置を全て運用停止とすることができると共に、上位の基地局に信頼性の低い無線信号を送出するのを防ぐことができ、システムの安全性を向上させることができる効果がある。
【産業上の利用可能性】
【００６４】
本発明は、子機やＨＵＢを多段に接続したシステムにおいて、装置や回線に異常が発生した場合に、当該異常発生箇所の下位に接続された装置の運用を停止して、システムの安全性を向上させることができる無線通信システムに適している。
【図面の簡単な説明】
【００６５】
【図１】本発明の実施の形態に係る無線通信システム（本システム）の一例を示す概略構成図である。
【図２】子機４の構成を示す構成ブロック図である。
【図３】ＨＵＢ５の構成ブロック図である。
【図４】中継機２の構成ブロック図である。
【図５】本システムの第１の動作例を示す模式説明図である。
【図６】本システムの第２の動作例を示す模式説明図である。
【図７】基地局と送受信増幅器の構成例を示す模式説明図であり、（ａ）はスター型（Star topology）、（ｂ）はチェーン型（Chain topology）の例である。
【図８】光伝送システムの概要を示す模式説明図である。
【図９】従来のチェーン型接続可能な子機及びＨＵＢを備えた無線通信システムの構成例を示す模式説明図である。
【符号の説明】
【００６６】
１…基地局、  ２…中継機、  ３…光ファイバ、  ４…子機、  ５…ＨＵＢ、  ２２，４２，５２…マスタポート、  ２３，４７，５４…装置状態監視部、  ２４，４３…信号処理部、  ２５，４８，５５…制御部、  ２６…通信部、  ４１，５１…スレーブポート、  ４４…無線部、  ４５…アンテナ、  ４６，５３…回線品質監視部
【図１】
2009188766.tif 000003
【図２】
2009188766.tif 000004
【図３】
2009188766.tif 000005
【図４】
2009188766.tif 000006
【図５】
2009188766.tif 000007
【図６】
2009188766.tif 000008
【図７】
2009188766.tif 000009
【図８】
2009188766.tif 000010
【図９】
2009188766.tif 000011